(57)【要約】【課題】従来の壁収納式折り畳み椅子は部品点数が多く、組立が面倒であるばかりか、コストアップの原因にもなっている。【解決手段】一端に油圧ダンパー３７が連結され、座板取付アーム６９、７０と平行リンク機構を構成する一本の離間アーム７９を座板６７の幅方向中央位置に設ける。椅子本体１１１を収納状態から引き出し状態にする際、取付軸９１に連結されている油圧ダンパー３７によって一つの離間アーム７９に制動力が加えられ、離間アーム７９は比較的ゆっくりと動作する。これにより、離間アーム７９と平行リンク機構を構成する座板取付けアーム６９、７０が固定されている座板６７も比較的ゆっくりと動くため、椅子本体１１１が極端に勢いよく動いてしまうのを防止できる。【選択図】        図２
2005125057.tif 000002
【特許請求の範囲】
【請求項１】
壁に設けた格納凹部に固定されるベース部材と、前記ベース部材に一端が回動自在に連結された座板取付アームと、前記座板取付アームに取付けられた座板と、前記ベース部材に一端が回動自在に連結され前記座板取付アームより座板から離れて備えられた離間アームと、前記座板取付アームと離間アームの他端が回動自在に連結された脚体とから成り、前記座板取付アームと離間アームとが平行を保ったまま回動して座板が格納凹部に収納される収納状態と、座板がほぼ水平になり脚体が床に着く引き出し状態とに移動する壁収納式折り畳み椅子において、前記離間アームは一つであることを特徴とする壁収納式折り畳み椅子。
【請求項２】
請求項１に記載の壁収納式折り畳み椅子において、１つの離間アームは座板の幅方向中央位置に設けられていることを特徴とする壁収納式折り畳み椅子。
【請求項３】
請求項１または２に記載した壁収納式折り畳み椅子において、座板を収納状態から引き出し状態へ動作させる際に一つの離間アームに制動力を加えるダンパーを備えたことを特徴とする壁収納式折り畳み椅子。
【発明の詳細な説明】
【技術分野】
【０００１】
本発明は、壁収納式折り畳み椅子に関するものである。
【背景技術】
【０００２】
玄関等で履物を履いたりする場合、足腰が弱っている人は椅子に腰掛けて行うほうが楽であるが、一般住宅の玄関の広さで椅子を置いたままにしておくと邪魔になってしまう。
そこで特許文献１に示す壁収納式折り畳み椅子が開発されている。
【０００３】
【特許文献１】特開２００３−２１０２７９号公報
【発明の開示】
【発明が解決しようとする課題】
【０００４】
しかしながら、特許文献１の壁収納式折り畳み椅子は、座板を支持し、平行リンク機構を構成するアームの数が多いので、かなりの部品点数を有している。そのため、組み立てが面倒であるばかりか、コストアップの原因にもなっている。特に、特許文献１の壁収納式折り畳み椅子には二つのアームのそれぞれに油圧ダンパーが取付けられており、これが全体のコストを押し上げる大きな要因となっている。
油圧ダンパーは壁収納式折り畳み椅子の座板を引き出し状態へ動作させる際に、極端に勢いよく動いてしまうのを防止するために必要なものである。
【０００５】
本発明は、上記の課題を解決するためになされたものであり、部品点数を減らすことができ、コストダウンが可能な壁収納式折り畳み椅子を提供することを目的とする。
【課題を解決するための手段】
【０００６】
この目的を達成するために、請求項１の発明は、壁に設けた格納凹部に固定されるベース部材と、前記ベース部材に一端が回動自在に連結された座板取付アームと、前記座板取付アームに取付けられた座板と、前記ベース部材に一端が回動自在に連結され前記座板取付アームより座板から離れて備えられた離間アームと、前記座板取付アームと離間アームの他端が回動自在に連結された脚体とから成り、前記座板取付アームと離間アームとが平行を保ったまま回動して座板が格納凹部に収納される収納状態と、座板がほぼ水平になり脚体が床に着く引き出し状態とに移動する壁収納式折り畳み椅子において、前記離間アームは一つであることを特徴とする壁収納式折り畳み椅子である。
【０００７】
請求項２の発明は、請求項１に記載の壁収納式折り畳み椅子において、１つの離間アームは座板の幅方向中央位置に設けられていることを特徴とする壁収納式折り畳み椅子である。
【０００８】
請求項３の発明は、請求項１または２に記載した壁収納式折り畳み椅子において、座板を収納状態から引き出し状態へ動作させる際に一つの離間アームに制動力を加えるダンパーを備えたことを特徴とする壁収納式折り畳み椅子である。
【発明の効果】
【０００９】
本発明の壁収納式折り畳み椅子では、部品点数が少なくなるのでコストを下げることができるようになる。
【実施例１】
【００１０】
図１から図５に本発明の実施例に係る壁収納式折り畳み椅子１を説明する。
壁収納式折り畳み椅子１は壁Ｗに設けられた格納凹部３に嵌めこまれた木枠５内に収納される。木枠５は壁収納式折り畳み椅子１が収納できる大きさであり、厚手の板材を縦長矩形に組んで作られている。
木枠５は格納凹部３に嵌めこまれた状態で壁Ｗに釘やビスなどで固定されている。
左右の凹部側ベース部材９、１１は金属板を直角に折り曲げて形成されており、この折り曲げ部を境にして設けられた一方の折り曲げ片１２には取付穴１３が３個形成され、他方の折り曲げ片１４には丸穴１５が２個形成されている。
【００１１】
符号１９は金属板からなるアーム側ベース部材を示し、このアーム側ベース部材１９は水平板２０と、この水平板２０の一端部に連続して形成された取付板２１とから構成されている。取付板２１の端部は後方へ向かって水平に折り曲げられている。取付板２１の両端部には左右方向に延びる長穴３１が上下に間隔をあけて２個ずつ形成されている。また、取付板２１のほぼ中央には角穴２３が形成されている。
【００１２】
アーム側ベース部材１９の取付板２１上には、その中央位置から若干右寄りに油圧ダンパー取付部材３５が設けられている。油圧ダンパー取付部材３５は金属板が直角に折り曲げられて形成されており、その垂直片に油圧ダンパー３７が取付けられている。なお、油圧ダンパー３７の一部は角穴２３に入り込んでいる。
取付板２１にはコの字形状のブラケット２５が左右に間隔を開けて固定されている。このブラケット２５の一方の取付片２６には丸穴２８が形成され、もう一方の取付片２７にはネジ穴２９が形成されている。
凹部側ベース部材９、１１とアーム側ベース部材１９とによってベース部材が構成されている。
【００１３】
脚体４３の構成について説明する。
一対の脚４５には２本の連結棒５３の両端部が取付けられており、一対の脚４５は２本の連結棒５３を介して連結されている。脚４５の下端部にはネジによって出入するアジャスター４９が取付けられている。
脚４５の上端部には貫通穴５７、５９が上下方向に間隔をあけて形成されている。
【００１４】
符号６７は座板を示し、座板６７の裏面には２本の座板取付アーム６９、７０が取付けられている。座板取付アーム６９、７０は座板６７の左右両端部に各々配置されている。座板取付アーム６９、７０は両端部を除いた中央部分が横断面コの字状に形成され、また一端部は座板６７と反対方向側へわずかに湾曲して形成されている。座板取付アーム６９、７０の両端部には丸穴７３、７７が形成されている。
【００１５】
符号７９は離間アームを示し、離間アーム７９は金属板を直角に折り曲げて形成され、両端部には取付部８３、８７がそれぞれ形成されている。取付部８３には丸穴８５が形成されている。この丸穴８５にシャフト６５が挿通されており、このシャフト６５は離間アーム７９に溶接されて固定されている。また、取付部８７には円盤８９が固定されており、この円盤８９の中心には角棒状の取付軸９１が固定されて設けられている。
【００１６】
シャフト６５の両端部は２本の脚４５の貫通穴５９に挿入され、Ｅリング３２によって抜け止めされており、このＥリング３２とスペーサー３０は脚４５を挟んで両側に配置される。これにより、離間アーム７９は脚４５に回動自在に支持される。
座板６７に固定した座板取付アーム６９、７０に一対の脚４５をそれぞれ嵌めて、ピン９３をスペーサー３０、座板取付アーム６９、７０の丸穴７３、貫通穴５７、座板取付アーム６９、７０の丸穴７３およびスペーサー３０の順に挿通し、両端部をＥリング３２によって抜け止めする。これにより、座板取付アーム６９、７０はピン９３に回動自在に支持される。
【００１７】
アーム支持軸３９は六角ボルトで構成されており、アーム支持軸３９をブラケット２５の丸穴２８、スペーサー３０、座板取付アーム６９、７０のそれぞれの丸穴７７、スペーサー３０の順に挿通してネジ穴２９に螺合させ、ネジ穴２９から突出した部分には袋ナット４１が取り付けられている。これにより、座板取付アーム６９、７０はアーム支持軸３９に回動自在に支持される。
円盤８９の取付軸９１は油圧ダンパー３７の図示しない嵌合部に嵌めこまれ、連結される。この離間アーム７９はアーム側ベース部材１９の幅方向中央位置に備えられる。
脚体４３の前面には扉板９７が取付けられており、この扉板９７は木枠５にほぼぴったり嵌まる大きさに設定されている。扉板９７の前面には把手穴１０７が形成されており、背面の上端部には鉄片１０１が２箇所に取付けられている。
このようにして組み立てられたベース部材を除く組立体を椅子本体１１１とする。
【００１８】
次に椅子本体１１１を格納凹部３に取付ける作業について説明する。
まず、凹部側ベース部材９、１１を木枠５の左右の内側面下端部にあてがい、木ネジ１７で凹部側ベース部材９、１１を木枠５に固定する。
そして、椅子本体１１１を格納凹部３に入れ、固定手段としてのボルト３３を取付板２１の長穴３１と凹部側ベース部材９、１１の丸穴１５に通し、ボルト３３の先端部にナットを取付けて締め付ける。
木枠５の上端部内側面には扉板９７に備えられた鉄片１０１に対応する位置にマグネット式固定具９９がそれぞれ取付けられている。椅子本体１１１が折り畳まれ、鉄片１０１がマグネット式固定具９９に吸着されることによって、扉板９７が木枠５に固定されて、椅子本体１１１は収納状態を保つ。
【００１９】
以下に壁収納式折り畳み椅子１の使用方法を説明する。
図４に示すように、壁収納式折り畳み椅子１を使用しないときは、椅子本体１１１は折り畳まれて格納凹部３に収容され、収納状態となっている。
壁収納式折り畳み椅子１を使用するときは、まず把手穴１０７に手を入れて扉板９７を手前に引き、マグネット式固定具９９と鉄片１０１の吸着を外す。さらに扉板９７を手前に引くと座板取付けアーム６９、７０がアーム支持軸３９を支点として図５において反時計回りに回動し、これと同時に座板取付けアーム６９、７０と平行を保ったまま離間アーム７９が取付軸９１を支点として回動する。そして、アジャスター４９が床に着き、椅子本体１１１は図１に示すように引き出し状態となる。この引き出し状態では座板６７はほぼ水平になっている。
【００２０】
椅子本体１１１を収納状態から引き出し状態にする際、取付軸９１に連結されている油圧ダンパー３７によって一つの離間アーム７９に制動力が加えられ、離間アーム７９は比較的ゆっくりと動作する。これにより、離間アーム７９と平行リンク機構を構成する座板取付けアーム６９、７０が固定されている座板６７も比較的ゆっくりと動くため、椅子本体１１１が極端に勢いよく動いてしまうのを防止できる。
離間アーム７９は座板６７の幅方向中央位置に設けられているため、椅子本体１１１を引き出す際に左右方向にぶれることなく、安定した状態で回動させることができる。
なお、油圧ダンパー３７は、椅子本体１１１を引き出し状態から収納状態に動作させる際には、椅子本体１１１が収納状態になる方向、即ち図５において離間アーム７９を時計回りの方向へ付勢する力を発揮する。従って、椅子本体１１１を収納状態となる方向へ比較的軽く動作させることができる。
【００２１】
以上、本発明の実施例を説明したが、本発明の具体的構成はこの実施例に限定されるものではなく、本発明の要旨から外れない範囲での設計変更等があっても本発明に含まれる。
上記実施例ではダンパーとして油圧式のものを示したが、コイルスプリング、トーションバネ等を利用したダンパーを用いてもよい。
【図面の簡単な説明】
【００２２】
【図１】本発明の実施の形態に係る壁収納式折り畳み椅子の斜視図である。
【図２】本発明の実施の形態に係る壁収納式折り畳み椅子の構成を説明する分解斜視図である。
【図３】本発明の実施の形態に係る壁収納式折り畳み椅子の収納状態をあらわした図である。
【図４】本発明の実施の形態に係る壁収納式折り畳み椅子の収納状態をあらわした断面図である。
【図５】本発明の実施の形態に係る壁収納式折り畳み椅子を収納状態から引き出し状態にする途中の断面図である。
【符号の説明】
【００２３】
１  壁収納式折り畳み椅子      ３  格納凹部      ５  木枠
９  凹部側ベース部材      １１  凹部側ベース部材      １２  折り曲げ片
１３  取付穴      １４  折り曲げ片      １５  丸穴      １７  木ネジ
１９  アーム側ベース部材      ２０  水平板      ２１  取付板
２３  角穴      ２５  ブラケット      ２６  取付片      ２７  取付片
２８  丸穴      ２９  ネジ穴      ３０  スペーサー      ３１  長穴
３２  Ｅリング      ３３  ボルト      ３５  油圧ダンパー取付部材
３７  油圧ダンパー      ３９  アーム支持軸      ４１  袋ナット
４３  脚体      ４５  脚      ４９  アジャスター      ５３  連結棒
５７  貫通穴      ５９  貫通穴      ６５  シャフト      ６７  座板
６９  座板取付アーム      ７０  座板取付アーム      ７３  丸穴
７７  丸穴      ７９  離間アーム      ８３  取付部      ８５  丸穴
８７  取付部      ８９  円盤      ９１  取付軸      ９３  ピン
９７  扉板      ９９  マグネット式固定具      １０１  鉄片
１０７  把手穴      １１１  椅子本体      １１３  格納凹部
１１５  木枠      Ｗ  壁      Ｆ  床
【図１】
2005125057.tif 000003
【図２】
2005125057.tif 000004
【図３】
2005125057.tif 000005
【図４】
2005125057.tif 000006
【図５】
2005125057.tif 000007